(57)【要約】【課題】  本発明は雨水や長年の使用でもスムーズに伸縮移動して、地震時には損傷するのを効率よく阻止することができるとともに、強風でもガタつき、騒音を発生するのを阻止することができる、設置が容易な開放防止柵を得るにある。【解決手段】目地部を介して設けられた左右の建物の目地部側の床躯体あるいは壁躯体に水平方向に回動可能に取付けられた一対の支柱と、この一対の支柱に後端部が固定された先端部が所定量重なり合うように位置する一対の目地プレートと、この一対の目地プレートの先端部の上下部に固定された他方の目地プレートをスライド移動可能に支持する２対の上下支持具、この２対の上下支持具に上下部がそれぞれ回転可能に支持され、他方の目地プレートと接触する回転ローラとからなる１対の目地プレート支持具とで開放防止柵を構成している。【選択図】  図３
2005105628.tif 000002
【特許請求の範囲】
【請求項１】
目地部を介して設けられた左右の建物の目地部側の床躯体あるいは壁躯体に水平方向に回動可能に取付けられた一対の支柱と、この一対の支柱に後端部が固定された先端部が所定量重なり合うように位置する一対の目地プレートと、この一対の目地プレートの先端部の上下部に固定された他方の目地プレートをスライド移動可能に支持する２対の上下支持具、この２対の上下支持具に上下部がそれぞれ回転可能に支持され、他方の目地プレートと接触する回転ローラとからなる１対の目地プレート支持具とを備えることを特徴とする開放防止柵。
【請求項２】
目地部を介して設けられた左右の建物の目地部側の床躯体あるいは壁躯体に水平方向に回動可能に取付けられた一対の支柱と、この一対の支柱に後端部が固定された先端部が所定量重なり合うように位置する一対の目地フレーム、この一対の目地フレームに固定状態で取付けられた、格子やパネル等のカバー体とからなる一対の目地プレートと、この一対の目地プレートの一対の目地フレームの先端部の上下部に固定された他方の目地プレーをスライド移動可能に支持する２対の上下支持具、この２対の上下支持具に上下部がそれぞれ回転可能に支持され、他方の目地プレートのカバー体と接触する回転ローラとからなる１対の目地プレート支持具とを備えることを特徴とする開放防止柵。
【発明の詳細な説明】
【技術分野】
【０００１】
本発明は目地部を介して設けられた左右の建物の壁面間の目地部を、開放防止できるように設置される、手摺や侵入防止柵として使用される開放防止柵に                                  に関する。
【背景技術】
【０００２】
従来、この種の手摺は左右の建物の目地部側の床躯体に水平方向に回動可能に取付けられた一対の支柱と、この一対の支柱に所定間隔で後端部が固定された伸縮可能な複数個の支持バーとで構成されている。
【０００３】
したがって、従来の手摺の複数個の伸縮可能な支持バーは、雨水や長年の使用により、錆付いたりして伸縮不能となり、地震時に損傷してしまうという欠点があった。
また、スムーズな伸縮ができるように隙間を大きくした伸縮可能な支持バーを用いると、風等によって衝突音が発生するという欠点があった。
【特許文献１】特開平１１−５０６２９号
【発明の開示】
【発明が解決しようとする課題】
【０００４】
本発明は以上のような従来の欠点に鑑み、雨水や長年の使用でもスムーズに伸縮移動して、地震時には損傷するのを効率よく阻止することができるとともに、強風でもガタつき、騒音を発生するのを阻止することができる、設置が容易な開放防止柵を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の目地部側の床躯体あるいは壁躯体に水平方向に回動可能に取付けられた一対の支柱と、この一対の支柱に後端部が固定された先端部が所定量重なり合うように位置する一対の目地プレートと、この一対の目地プレートの先端部の上下部に固定された他方の目地プレートをスライド移動可能に支持する２対の上下支持具、この２対の上下支持具に上下部がそれぞれ回転可能に支持され、他方の目地プレートと接触する回転ローラとからなる１対の目地プレート支持具とで開放防止柵を                        構成している。
【発明の効果】
【０００７】
以上の説明から明らかなように、本発明にあっては次に列挙する効果が得られる。
【０００８】
（１）目地部を介して設けられた左右の建物の目地部側の床躯体あるいは壁躯体に水平方向に回動可能に取付けられた一対の支柱と、この一対の支柱に後端部が固定された先端部が所定量重なり合うように位置する一対の目地プレートと、この一対の目地プレートの先端部の上下部に固定された他方の目地プレートをスライド移動可能に支持する２対の上下支持具、この２対の上下支持具に上下部がそれぞれ回転可能に支持され、他方の目地プレートと接触する回転ローラとからなる２対の目地プレート支持具とで構成されているので、強風でも一対の目地プレートがバタつくのを１対の目地プレート支持具の回転ローラによって阻止することができる。
したがって、強風時の騒音を確実に阻止することができる。
【０００９】
（２）前記（１）によって、一対の目地プレートを地震時に２対の目地プレート支持具の回転ローラによって、スムーズにスライド移動させることができる。
したがって、損傷することなく、長期間使用することができる。
【００１０】
（３）前記（１）によって、一対の目地プレートの支持を２対の上下支持具の目地プレートとの接触面積を小さくできる。
したがって、錆等によって動作不良を起こすのを効率よく防止することができる。
【００１１】
（４）前記（１）によって、構造が簡単であるので、容易に設置することができる。
【００１２】
（５）請求項２も前記（１）〜（４）と同様な効果が得られる。
【発明を実施するための最良の形態】
【００１３】
以下、図面に示す本発明を実施するための最良の形態より、本発明を詳細に説明する。
【００１４】
図１ないし図９に示す本発明を実施するための最良の第１の形態において、１は目地部２を介して設けられた左右の建物３、３の目地部側の壁面４、４間を覆う、手摺あるいは侵入防止柵として使用される本発明の開放防止柵で、この開放防止柵１は前記左右の建物３、３の目地部側の外側寄りの床躯体５、５に水平方向に回動可能に取付けられた一対の支柱６、６と、この一対の支柱６、６に後端部が固定された先端部が所定量重なり合うように位置する一対の目地プレート７、７と、この一対の目地プレート７、７の先端部に取付けられた１対の目地プレート支持具８、８とで構成されている。
【００１５】
前記一対の支柱６、６は図４に示すように、床躯体５に複数本のビス９等によって固定されるベース板１０と、このベース板１０の中央部に上方へ突出する軸１１と、この軸１１が下部に挿入される回転可能なパイプ状の支柱本体１２と、この支柱本体１２の上部を覆うキャップ１３とで構成されている。
なお、前記軸１１と前記支柱本体１２との間にリングを介装し、支柱本体１２をスムーズに回転できるようにしてもよい。
また、前記支柱本体１２の上部近傍まで位置する軸１１を用い上下部にベアリングやリングを介装し、支柱本体１２をスムーズに回転できるようにしてもよい。
【００１６】
前記一対の目地プレート７、７は図５に示すように、対向面が平坦面１４に形成された半円弧形状のバー部材１５をコ字状に形成された目地フレーム１６と、この目地フレーム１６の平坦面１４と同一面となるように溶接あるいは複数本のビス１７等によって固定された金属あるいは合成樹脂材製のパネル材を用いたカバー体１８とで構成されている。
【００１７】
前記１対の目地プレート支持具８、８は図６に示すように、一端部が一対の目地プレート７、７の目地フレーム１６に複数本のビス１９等によって固定される半円弧形状の上下支持具２０、２０と、この上下支持具２０、２０の内側中央部に内側へ突出するように形成された支持軸２１、２１と、前記上下支持具２０、２０の支持軸２１、２１が挿入される回転可能なパイプ材製のローラ２２とで構成されている。
【００１８】
上記構成の開放防止柵１は、通常時には２対の目地プレート支持具８、８で一対の目地プレート７、７の先端部が所定量重なり合った状態となっている。
この時、図３に示すように１対の目地プレート支持具８、８のローラ２２、２２が他方の目地プレート７、７のカバー体１８、１８を押し圧した状態となっているため、強風があってもガタついたりすることなく騒音の発生を防止できる。
【００１９】
地震等によって左右の建物３、３が異なる左右方向に揺れ動き、目地部２が狭くなる場合には、図７に示すように１対の目地プレート支持具８、８のローラ２２、２２が目地プレート７、７を転動して、その揺れ動きを吸収する。
【００２０】
目地部２が広くなる場合には、図８に示すように、１対の目地プレート支持具８、８のローラ２２、２２が目地プレート７、７を転動して、その揺れ動きを吸収する。
【００２１】
左右の建物３、３が異なる前後方向に揺れ動いた場合には、図９に示すように一対の支柱６、６が水平方向に回動するとともに、一対の目地プレート７、７の先端部がスライド移動して、その揺れ動きを吸収する。
[発明を実施するための異なる形態]
【００２２】
次に、図１０ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図１０ないし図１３に示す本発明を実施するための第２の形態において、前記本発明を実施するための最良の第１の形態と主に異なる点は、四角形状のパイプ材のバー部材１５Ａを用いてコ字状に形成された目地フレーム１６Ａを使用した一対の目地プレート７Ａ、７Ａと、チャンネル状の上下支持具２０Ａ、２０Ａを使用した１対の目地プレート支持具８Ａ、８Ａとを用いた点で、このような一対の目地プレート支持具７Ａ、７Ａと１対の目地プレート支持具８Ａ、８Ａとを用いて構成した開放防止柵１Ａにしても、前記本発明を実施するための最良の第１の形態と同様な作用効果が得られる。
【００２４】
図１４ないし図１６に示す本発明を実施するための第３の形態において、前記本発明を実施するための最良の第１の形態と主に異なる点は、パンチングメタルをカバー体１８Ａに使用した一対の目地プレート７Ｂ、７Ｂと、パイプ材の支柱本体１２、１２、この支柱本体１２、１２の上下部に、該支柱本体１２、１２の回転が可能に取付けることができる軸２３、２３を備える壁躯体４ａ、４ａに複数本のビス２４で固定される取付け金具２５、２５とからなる一対の支柱６Ａ、６Ａを用いた点で、このように構成した開放防止柵１Ｂにしても、前記本発明を実施するための最良の第１の形態と同様な作用効果が得られる。
なお、本発明を実施するための第３の形態では目地フレーム１６に格子状のカバー体１８Ａを取付けた一対の目地プレート７Ｂ、７Ｂを用いてもよい。
【００２５】
図１７ないし図１９に示す本発明を実施するための第４の形態において、前記本発明を実施するための最良の第１の形態と主に異なる点は、カバー体１８Ｂの上下部を、丸パイプあるいは角パイプとなるように曲げ加工した目地プレート７Ｃ、７Ｃを用いるとともに、該目地プレート７Ｃ、７Ｃの後端部の上下部をビス２６で固定される取付け金具２７、２７で支柱６、６に取付けた点で、このように構成した開放防止柵１Ｃにしても、前記本発明を実施するための最良の第１の形態と同様な作用効果が得られる。
なお、目地プレート７Ｃ、７Ｃとして、金属材を用いた場合には該目地プレート７Ｃ、７Ｃの後端部を支柱６、６に溶接によって直接固定してもよい。
【産業上の利用可能性】
【００２６】
本発明は開放防止柵を製造する産業および、該開放防止柵を設置する産業で利用される。
【図面の簡単な説明】
【００２７】
【図１】本発明を実施するための最良の第１の形態の正面図。
【図２】本発明を実施するための最良の第１の形態の平面図。
【図３】図１の３―３線に沿う断面図。
【図４】本発明を実施するための最良の第１の形態の支柱の説明図。
【図５】本発明を実施するための最良の第１の形態の目地プレートの説明図。
【図６】本発明を実施するための最良の第１の形態の目地プレート支持具の説明図。
【図７】本発明を実施するための最良の第１の形態の目地部が狭くなる動作説明図。
【図８】本発明を実施するための最良の第１の形態の目地部が広くなる動作説明図。
【図９】本発明を実施するための最良の第１の形態の異なる前後方向の動作説明図。
【図１０】本発明を実施するための第２の形態の正面図。
【図１１】本発明を実施するための第２の形態の平面図。
【図１２】図１０の１２−１２線に沿う断面図。
【図１３】本発明を実施するための第２の形態の目地プレートの説明図。
【図１４】本発明を実施するための第３の形態の正面図。
【図１５】本発明を実施するための第３の形態の平面図。
【図１６】図１４の１６−１６線に沿う断面図。
【図１７】本発明を実施するための第４の形態の正面図。
【図１８】本発明を実施するための第４の形態の正面図。
【図１９】図１７の１９−１９線に沿う断面図。
【符号の説明】
【００２８】
１、１Ａ、１Ｂ、１Ｃ：開放防止柵、
２：目地部、                      ３：建物、
4：壁面、                                          ５：床躯体、
６、６Ａ：支柱、                            
７、７Ａ、７Ｂ、７Ｃ：目地プレート、
８、８Ａ：目地プレート支持具、９：ビス、
１０：ベース板、                            １１：軸、
１２：支柱本体、                            １３：キャップ、
１４：平坦面、                                １５、１５Ａ：バー部材、
１６、１６Ａ：目地フレーム、    １７：ビス、
１８、１８Ａ、１８Ｂ：カバー体、
１９：ビス、                                                ２０、２０Ａ：上下支持具、
２１：支持軸、                                ２２：ローラ、
２３：軸、                                        ２４：ビス、            
２５：取付け金具、                                    ２６：ビス、            
２７：取付け金具。
【図１】
2005105628.tif 000003
【図２】
2005105628.tif 000004
【図３】
2005105628.tif 000005
【図４】
2005105628.tif 000006
【図５】
2005105628.tif 000007
【図６】
2005105628.tif 000008
【図７】
2005105628.tif 000009
【図８】
2005105628.tif 000010
【図９】
2005105628.tif 000011
【図１０】
2005105628.tif 000012
【図１１】
2005105628.tif 000013
【図１２】
2005105628.tif 000014
【図１３】
2005105628.tif 000015
【図１４】
2005105628.tif 000016
【図１５】
2005105628.tif 000017
【図１６】
2005105628.tif 000018
【図１７】
2005105628.tif 000019
【図１８】
2005105628.tif 000020
【図１９】
2005105628.tif 000021